(57)【要約】【課題】繊維製品の汚れに対する洗浄力に優れるとともに、優れた増白効果及び抗菌効果が得られる洗浄液及び繊維製品の洗濯方法の提供。【解決手段】（Ａ）成分：ビフェニル型及びスチルベン型から選ばれる１種以上の蛍光増白剤と、（Ｂ）成分：ジフェニルエーテル抗菌剤と、（Ｃ）成分：界面活性剤と、を含む水溶液である洗浄液であって、前記（Ａ）成分の含有量が前記洗浄液の総質量に対して０．１質量ｐｐｍ以上であり、前記（Ｂ）成分の含有量が前記洗浄液の総質量に対して０．１質量ｐｐｍ以上である洗浄液、及び前記洗浄液を用いて繊維製品を洗浄処理する繊維製品の洗濯方法。【選択図】なし【特許請求の範囲】
【請求項１】
（Ａ）成分：ビフェニル型及びスチルベン型から選ばれる１種以上の蛍光増白剤と、
（Ｂ）成分：ジフェニルエーテル抗菌剤と、
（Ｃ）成分：界面活性剤と、
を含む水溶液である洗浄液であって、
前記（Ａ）成分の含有量が前記洗浄液の総質量に対して０．１質量ｐｐｍ以上であり、
前記（Ｂ）成分の含有量が前記洗浄液の総質量に対して０．１質量ｐｐｍ以上である、洗浄液。
【請求項２】
前記（Ｂ）成分がダイクロサンである、請求項１に記載の洗浄液。
【請求項３】
前記（Ｃ）成分が（Ｃ−１）成分：ノニオン界面活性剤を含む、請求項１又は２に記載の洗浄液。
【請求項４】
前記（Ｃ）成分が（Ｃ−２）成分：アニオン界面活性剤をさらに含み、
前記（Ｃ−１）成分の含有量に対する前記（Ｃ−２）成分の含有量の質量比を表す（Ｃ−２）／（Ｃ−１）が２以下である、請求項３に記載の洗浄液。
【請求項５】
請求項１〜４のいずれか一項に記載の洗浄液を用いて繊維製品を洗浄処理する、繊維製品の洗濯方法。
【請求項６】
前記（Ａ）成分、（Ｂ）成分及び（Ｃ）成分を含む洗剤組成物を希釈して前記洗浄液を調製する工程を有する、請求項５に記載の繊維製品の洗濯方法。
【発明の詳細な説明】
【技術分野】
【０００１】
本発明は、洗浄液及び繊維製品の洗濯方法に関する。
【背景技術】
【０００２】
家庭における衣類等の繊維製品用の洗剤として、液体洗剤が多く用いられている。液体洗剤においても粉末洗剤と同様に、界面活性剤による洗浄力の付与に加えて、衣類の見た目による白さを追求する目的で、蛍光増白剤による増白効果（白度向上効果）を付与することが一般的になってきている。
例えば特許文献１には、ビフェニル型の蛍光増白剤とノニオン界面活性剤とを併用することで増白効果を高めた液体洗浄剤組成物が開示されている。
【先行技術文献】
【特許文献】
【０００３】
【特許文献１】国際公開第２０１０／０２９７４９号
【発明の概要】
【発明が解決しようとする課題】
【０００４】
近年、繊維製品を洗濯するに際しては、洗浄力に加えて、増白効果のさらなる向上が求められている。また、抗菌効果に優れることも求められている。
本発明は、繊維製品の汚れに対する洗浄力に優れるとともに、優れた増白効果及び抗菌効果が得られる洗浄液及び繊維製品の洗濯方法を提供することを目的とする。
【課題を解決するための手段】
【０００５】
本発明者らは鋭意検討した結果、界面活性剤と特定の蛍光増白剤との組み合わせにおいて、ジフェニルエーテル抗菌剤を併用することで、増白効果が向上することに加えて、抗菌効果も得られることを見出し、本発明を完成するに至った。
【０００６】
すなわち、本発明は以下の態様を有する。
［１］  （Ａ）成分：ビフェニル型及びスチルベン型から選ばれる１種以上の蛍光増白剤と、（Ｂ）成分：ジフェニルエーテル抗菌剤と、（Ｃ）成分：界面活性剤と、を含む水溶液である洗浄液であって、前記（Ａ）成分の含有量が前記洗浄液の総質量に対して０．１質量ｐｐｍ以上であり、前記（Ｂ）成分の含有量が前記洗浄液の総質量に対して０．１質量ｐｐｍ以上である、洗浄液。
［２］  前記（Ｂ）成分がダイクロサンである、［１］の洗浄液。
［３］  前記（Ｃ）成分が（Ｃ−１）成分：ノニオン界面活性剤を含む、［１］又は［２］の洗浄液。
［４］  前記（Ｃ）成分が（Ｃ−２）成分：アニオン界面活性剤をさらに含み、前記（Ｃ−１）成分の含有量に対する前記（Ｃ−２）成分の含有量の質量比を表す（Ｃ−２）／（Ｃ−１）が２以下である、［３］の洗浄液。
［５］  ［１］〜［４］のいずれかの洗浄液を用いて繊維製品を洗浄処理する、繊維製品の洗濯方法。
［６］  前記（Ａ）成分、（Ｂ）成分及び（Ｃ）成分を含む洗剤組成物を希釈して前記洗浄液を調製する工程を有する、［５］の繊維製品の洗濯方法。
【発明の効果】
【０００７】
本発明によれば、繊維製品の汚れに対する洗浄力に優れるとともに、優れた増白効果及び抗菌効果が得られる洗浄液及び繊維製品の洗濯方法を提供できる。
【発明を実施するための形態】
【０００８】
［洗浄液］
本発明の洗浄液は、下記（Ａ）成分、（Ｂ）成分及び（Ｃ）成分を含む水溶液である。すなわち、洗浄液は、下記（Ａ）成分、（Ｂ）成分及び（Ｃ）成分に加えて、水を含む。
【０００９】
＜（Ａ）成分＞
（Ａ）成分は、ビフェニル型及びスチルベン型から選ばれる１種以上の蛍光増白剤である。
ビフェニル型の蛍光増白剤としては、４，４’−ビス（２−スルホスチリル）ビフェニルジナトリウム塩などが挙げられる。
スチルベン型の蛍光増白剤としては、４，４’−ビス（（４−アミノ−６−モルホリノ−１，３，５−トリアジニル−２）アミノ）スチルベン−２，２’−ジスルホン酸塩などが挙げられる。
これらの蛍光増白剤は、１種単独で用いてもよいし、２種以上が組み合わされて用いてもよい。
（Ａ）成分としては、増白効果がより向上する観点から、ビフェニル型の蛍光増白剤が好ましい。
【００１０】
（Ａ）成分の含有量は、洗浄液の総質量に対して０．１質量ｐｐｍ以上であり、０．２質量ｐｐｍ以上が好ましく、０．２５質量ｐｐｍ以上がより好ましく、０．５質量ｐｐｍ以上がさらに好ましく、０．７質量ｐｐｍ以上が特に好ましい。
（Ａ）成分の含有量は、洗浄液の総質量に対して３質量ｐｐｍ以下が好ましく、２．５質量ｐｐｍ以下がより好ましく、２質量ｐｐｍ以下がさらに好ましく、１．５質量ｐｐｍ以下が特に好ましい。
すなわち、（Ａ）成分の含有量は、洗浄液の総質量に対して０．１質量ｐｐｍ以上であり、０．１〜３質量ｐｐｍが好ましく、０．２〜３質量ｐｐｍがより好ましく、０．２５〜３質量ｐｐｍがさらに好ましく、０．５〜３質量ｐｐｍがさらに好ましく、０．７〜３質量ｐｐｍがさらに好ましく、０．７〜２．５質量ｐｐｍがさらに好ましく、０．７〜２質量ｐｐｍが特に好ましく、０．７〜１．５質量ｐｐｍが最も好ましい。
（Ａ）成分の含有量が上記下限値以上であれば、充分な増白効果を発揮できる。（Ａ）成分の含有量が上記上限値以下であれば、繊維製品への（Ａ）成分のムラ付きと黄ばみを抑制できる。
【００１１】
＜（Ｂ）成分＞
（Ｂ）成分は、ジフェニルエーテル抗菌剤である。
ジフェニルエーテル抗菌剤としては、例えばダイクロサン（４，４’−ジクロロ−２−ヒドロキシジフェニルエーテル）、トリクロサン（５−クロロ−２−（２，４−ジクロロフェノキシ）フェノール）などが挙げられる。
これらのジフェニルエーテル抗菌剤は、１種単独で用いてもよいし、２種以上が組み合わされて用いてもよい。
（Ｂ）成分としては、（Ａ）成分との併用による増白効果がより向上する観点から、ダイクロサンが好ましい。
【００１２】
（Ｂ）成分の含有量は、洗浄液の総質量に対して０．１質量ｐｐｍ以上であり、０．２質量ｐｐｍ以上が好ましく、０．２５質量ｐｐｍ以上がより好ましく、０．３３質量ｐｐｍ以上がさらに好ましく、０．５質量ｐｐｍ以上が特に好ましく、０．７質量ｐｐｍ以上が最も好ましい。
（Ｂ）成分の含有量は、洗浄液の総質量に対して３質量ｐｐｍ以下が好ましく、２．５質量ｐｐｍ以下がより好ましく、２質量ｐｐｍ以下がさらに好ましく、１．５質量ｐｐｍ以下が特に好ましい。
すなわち、（Ｂ）成分の含有量は、洗浄液の総質量に対して０．１質量ｐｐｍ以上であり、０．１〜３質量ｐｐｍが好ましく、０．２〜３質量ｐｐｍがより好ましく、０．２５〜３質量ｐｐｍがさらに好ましく、０．３３〜３質量ｐｐｍがさらに好ましく、０．５〜３質量ｐｐｍがさらに好ましく、０．５〜２．５質量ｐｐｍがさらに好ましく、０．５〜２質量ｐｐｍがさらに好ましく、０．７〜２質量ｐｐｍが特に好ましく、０．７〜１．５質量ｐｐｍが最も好ましい。
（Ｂ）成分の含有量が上記範囲内であれば、（Ａ）成分との併用による増白効果を発揮しつつ、優れた抗菌効果も得られる。
【００１３】
（Ａ）成分の含有量に対する（Ｂ）成分の含有量の質量比を表す（Ｂ）／（Ａ）は、０．０５以上が好ましく、０．１以上がより好ましく、０．２以上がさらに好ましい。
（Ｂ）／（Ａ）は、１０以下が好ましく、８以下がより好ましく、５以下がさらに好ましい。
すなわち、（Ｂ）／（Ａ）は、０．０５〜１０が好ましく、０．１〜８がより好ましく、０．２〜５がさらに好ましい。
（Ｂ）／（Ａ）が上記範囲内であれば、増白効果がより向上する。
【００１４】
また、後述の（Ｃ）成分の含有量に対する（Ａ）成分及び（Ｂ）成分の合計含有量の質量比を表す（（Ａ）＋（Ｂ））／（Ｃ）は、０．００１以上が好ましく、０．００５以上がより好ましい。
（（Ａ）＋（Ｂ））／（Ｃ）は、０．１以下が好ましく、０．０５以下がより好ましい。
すなわち、（（Ａ）＋（Ｂ））／（Ｃ）は、０．００１〜０．１が好ましく、０．００５〜０．０５がより好ましい。
（（Ａ）＋（Ｂ））／（Ｃ）が上記範囲内であれば、より充分な増白効果を発揮しつつ、より優れた抗菌効果も得られる。
【００１５】
＜（Ｃ）成分＞
（Ｃ）成分は、界面活性剤である。
界面活性剤としては、繊維製品用の洗剤分野で用いられる公知の界面活性剤を用いることができ、例えばノニオン界面活性剤、アニオン界面活性剤、カチオン界面活性剤、両性界面活性剤、半極性界面活性剤などが挙げられる。
（Ｃ）成分として、１種の界面活性剤を用いてもよく、２種以上の界面活性剤を組み合わせてもよい。
（Ｃ）成分は、洗浄力がより高まる観点からノニオン界面活性剤（以下、「（Ｃ−１）成分」ともいう。）を含むことが好ましく、洗浄力がより高まるとともに、増白効果もより向上する観点からアニオン界面活性剤（以下、「（Ｃ−２）成分」ともいう。）を含むことが好ましい。（Ｃ）成分は、（Ｃ−１）成分及び（Ｃ−２）成分を含むことがより好ましい。
【００１６】
（（Ｃ−１）成分）
（Ｃ−１）成分は、ノニオン界面活性剤である。
（Ｃ−１）成分としては、下記式（ｃ１）で表される化合物が挙げられる。
Ｒ１−Ｘ−［（ＥＯ）ｓ／（ＰＯ）ｔ］−（ＥＯ）ｕ−Ｒ２    ・・・（ｃ１）
式（ｃ１）中、Ｒ１は炭素数８〜２２の炭化水素基であり、−Ｘ−は−Ｏ−、−Ｃ（＝Ｏ）Ｏ−又は−Ｃ（＝Ｏ）ＮＨ−であり、ｓはＥＯの平均繰返し数を表し、ｔはＰＯの平均繰り返し数を表し、ｕはＥＯの平均繰り返し数を表し、ＥＯはオキシエチレン基であり、ＰＯはオキシプロピレン基である。−Ｘ−が−Ｏ−である場合、Ｒ２は水素原子であり、ｓは５〜２５の数であり、ｔは０〜６の数であり、ｕは０〜２０の数である。−Ｘ−が−Ｃ（＝Ｏ）Ｏ−又は−Ｃ（＝Ｏ）ＮＨ−である場合、Ｒ２はメチル基又はエチル基であり、ｓは６〜２０の数であり、ｔは０〜６の数であり、ｕは０〜２０の数である。
ｔが１以上である場合、［（ＥＯ）ｓ／（ＰＯ）ｔ］において、ＥＯとＰＯとの配列順序は特に制限されない。また、ＥＯとＰＯはブロック状に配列していてもよいし、ランダム状に配列していてもよい。
【００１７】
式（ｃ１）中、Ｒ１の炭素数は８〜２２であり、特に良好な洗浄力が得られやすい点で１０〜２２が好ましく、１０〜１８がより好ましい。
Ｒ１は直鎖状であっても分岐鎖状であってもよく、環状の構造を含んでもよい。Ｒ１は飽和炭化水素基でもよく、不飽和結合を有していてもよい。
Ｒ１は脂肪族炭化水素基が好ましく、直鎖もしくは分岐鎖のアルキル基、又は直鎖もしくは分岐鎖のアルケニル基がより好ましい。
Ｒ１としての炭化水素基は、１級又は２級の高級アルコール、高級脂肪酸、高級脂肪酸アミド等の原料に由来するものが挙げられる。具体的には、１級又は２級の高級アルコールからＯＨ基を除いた残基、高級脂肪酸からＣ（＝Ｏ）ＯＨ基を除いた残基、高級脂肪酸アミドからＣ（＝Ｏ）ＮＨ基を除いた残基等が挙げられる。
【００１８】
−Ｘ−が−Ｏ−である場合、Ｒ２は水素原子である。
−Ｘ−が−Ｏ−である場合のＲ１の炭素数は８〜２２であり、特に良好な洗浄力が得られやすい点で１０〜２２が好ましく、１０〜２０がより好ましく、１０〜１８がさらに好ましい。
Ｒ１における炭化水素基は、洗浄力がより高まる観点から直鎖もしくは分岐鎖のアルキル基、又は直鎖もしくは分岐鎖のアルケニル基が好ましい。
−Ｘ−が−Ｏ−である場合のｓは５〜２５の数であり、５〜２０の数が好ましく、１０〜２０の数がより好ましい。
−Ｘ−が−Ｏ−である場合のｔは０〜６の数であり、０〜３の数が好ましく、０〜２の数がより好ましく、０がさらに好ましい。
−Ｘ−が−Ｏ−である場合のｕは０〜２０の数であり、０〜１８の数が好ましく、０〜１４の数がより好ましく、０〜１０の数がさらに好ましく、０〜５の数が特に好ましく、０が最も好ましい。
なお、ｓ、ｔ及びｕはそれぞれ、整数であってもよく、少数を含んでいてもよい。
【００１９】
−Ｘ−が−Ｃ（＝Ｏ）Ｏ−又は−Ｃ（＝Ｏ）ＮＨ−である場合、Ｒ２はメチル基又はエチル基である。
−Ｘ−が−Ｃ（＝Ｏ）Ｏ−又は−Ｃ（＝Ｏ）ＮＨ−である場合のＲ１の炭素数は８〜２２であり、特に良好な洗浄力が得られやすい点で１０〜２２が好ましく、１０〜２０がより好ましく、１０〜１８がさらに好ましい。
Ｒ１における炭化水素基は、洗浄力がより高まる観点から直鎖もしくは分岐鎖のアルキル基、又は直鎖もしくは分岐鎖のアルケニル基が好ましい。
−Ｘ−が−Ｃ（＝Ｏ）Ｏ−又は−Ｃ（＝Ｏ）ＮＨ−である場合のｓは６〜２０の数であり、６〜１８の数が好ましく、１０〜１８の数がより好ましく、１２〜１８の数がさらに好ましい。
−Ｘ−が−Ｃ（＝Ｏ）Ｏ−又は−Ｃ（＝Ｏ）ＮＨ−である場合のｔは０〜６の数であり、０〜３の数が好ましい。
−Ｘ−が−Ｃ（＝Ｏ）Ｏ−又は−Ｃ（＝Ｏ）ＮＨ−である場合のｕは０〜２０の数であり、０〜１８の数が好ましい。
なお、ｓ、ｔ及びｕはそれぞれ、整数であってもよく、少数を含んでいてもよい。
【００２０】
（Ｃ−１）成分としては、−Ｘ−が−Ｏ−であるポリオキシエチレンアルキルエーテルが好ましく、その中でも特に以下の化合物がより好ましい。
式（ｃ１）において、Ｒ１が炭素数１２〜１４のアルキル基、Ｒ２が水素原子、−Ｘ−が−Ｏ−、ｓが６、ｔが０、ｕが０である化合物（Ｃ−１−１）。
式（ｃ１）において、Ｒ１が炭素数１２〜１４のアルキル基、Ｒ２が水素原子、−Ｘ−が−Ｏ−、ｓが１５、ｔが０、ｕが０である化合物（Ｃ−１−２）。
式（ｃ１）において、Ｒ１が炭素数１２〜１５のアルキル基、Ｒ２が水素原子、−Ｘ−が−Ｏ−、ｓが７、ｔが０、ｕが０である化合物（Ｃ−１−３）。
【００２１】
化合物（Ｃ−１−１）の市販品としては、例えばライオン株式会社製の商品名「レオックスＣＬ−６０」が挙げられる。
化合物（Ｃ−１−２）の市販品としては、例えばライオン株式会社製の商品名「ＬＭＡＯ−９０」が挙げられる。
化合物（Ｃ−１−３）の市販品としては、例えばＳｈｅｌｌ社製の商品名「Ｎｅｏｄｏｌ  ２５−７」が挙げられる。
これらの中でも、化合物（Ｃ−１−１）、化合物（Ｃ−１−２）がさらに好ましく、洗浄力と増白効果がより向上する観点から化合物（Ｃ−１−２）が特に好ましい。
【００２２】
（Ｃ−１）成分の含有量は、洗浄液の総質量に対して３質量ｐｐｍ以上が好ましく、１０質量ｐｐｍ以上がより好ましく、２０質量ｐｐｍ以上がさらに好ましく、５０質量ｐｐｍ以上が特に好ましい。
（Ｃ−１）成分の含有量は、洗浄液の総質量に対して３００質量ｐｐｍ以下が好ましく、２５０質量ｐｐｍ以下がより好ましく、２００質量ｐｐｍ以下がさらに好ましく、１５０質量ｐｐｍ以下が特に好ましい。
すなわち、（Ｃ−１）成分の含有量は、洗浄液の総質量に対して３〜３００質量ｐｐｍが好ましく、１０〜２５０質量ｐｐｍがより好ましく、２０〜２００質量ｐｐｍがさらに好ましく、２０〜１５０質量ｐｐｍが特に好ましく、５０〜１５０質量ｐｐｍが最も好ましい。
（Ｃ−１）成分の含有量が上記範囲内であれば、洗浄力がより高まる。
【００２３】
（Ｃ−１）成分の含有量に対する（Ａ）成分の含有量の質量比を表す（Ａ）／（Ｃ−１）は、０．００１以上が好ましく、０．００５以上がより好ましく、０．０１以上がさらに好ましい。
（Ａ）／（Ｃ−１）は、１以下が好ましく、０．１以下がより好ましい。
すなわち、（Ａ）／（Ｃ−１）は、０．００１〜１が好ましく、０．００５〜１がより好ましく、０．００５〜０．１がさらに好ましく、０．０１〜０．１が特に好ましい。
（Ａ）／（Ｃ−１）が上記範囲内であれば、増白効果がより向上する。
【００２４】
（Ｃ−１）成分の含有量に対する（Ｂ）成分の含有量の質量比を表す（Ｂ）／（Ｃ−１）は、０．００１以上が好ましく、０．０１以上がより好ましい。
（Ｂ）／（Ｃ−１）は、１以下が好ましく、０．５以下がより好ましく、０．１以下がさらに好ましい。
すなわち、（Ｂ）／（Ｃ−１）は、０．００１〜１が好ましく、０．００１〜０．５がより好ましく、０．０１〜０．１がさらに好ましい。
（Ｂ）／（Ｃ−１）が上記範囲内であれば、抗菌効果がより向上する。
【００２５】
（Ｃ−１）成分の含有量に対する（Ａ）成分及び（Ｂ）成分の合計含有量の質量比を表す（（Ａ）＋（Ｂ））／（Ｃ−１）は、０．００５以上が好ましく、０．０１以上がより好ましい。
（（Ａ）＋（Ｂ））／（Ｃ−１）は、０．２以下が好ましく、０．１以下がより好ましい。
すなわち、（（Ａ）＋（Ｂ））／（Ｃ−１）は、０．００５〜０．２が好ましく、０．０１〜０．１がより好ましい。
（（Ａ）＋（Ｂ））／（Ｃ−１）が上記範囲内であれば、より充分な増白効果を発揮しつつ、より優れた抗菌効果も得られる。
【００２６】
（Ｃ）成分の含有量に対する（Ｃ−１）成分の含有量の質量比を表す（Ｃ−１）／（Ｃ）は、０．３以上が好ましく、０．３５以上がより好ましい。
（Ｃ−１）／（Ｃ）は、０．９３以下が好ましく、０．９以下がより好ましく、０．７５以下がさらに好ましい。
すなわち、（Ｃ−１）／（Ｃ）は、０．３〜０．９３が好ましく、０．３〜０．９がより好ましく、０．３５〜０．９がさらに好ましく、０．３５〜０．７５が特に好ましい。
（Ｃ−１）／（Ｃ）が上記範囲内であれば、洗浄力がより高まる。
【００２７】
（（Ｃ−２）成分）
（Ｃ−２）成分は、アニオン界面活性剤である。
（Ｃ−２）成分としては、例えば直鎖アルキルベンゼンスルホン酸又はその塩、α−オレフィンスルホン酸又はその塩、直鎖又は分岐鎖のアルキル硫酸エステル又はその塩、ポリオキシアルキレンアルキルエーテル硫酸エステル又はその塩、ポリオキシアルキレンアルケニルエーテル硫酸エステル又はその塩、アルキル基を有するアルカンスルホン酸又はその塩、α−スルホ脂肪酸エステル又はその塩、内部オレフィンスルホン酸又はその塩；アルキルエーテルカルボン酸又はその塩、ポリオキシアルキレンエーテルカルボン酸又はその塩、アルキルアミドエーテルカルボン酸又はその塩、アルケニルアミドエーテルカルボン酸又はその塩、アシルアミノカルボン酸又はその塩、アルキルリン酸エステル又はその塩、ポリオキシアルキレンアルキルリン酸エステル又はその塩、ポリオキシアルキレンアルキルフェニルリン酸エステル又はその塩、グリセリン脂肪酸エステルモノリン酸エステル又はその塩、高級脂肪酸又はその塩などが挙げられる。
アニオン界面活性剤の塩の形態としては、例えばアルカリ金属塩（ナトリウム塩、カリウム塩等）、アルカリ土類金属塩（マグネシウム塩等）、アルカノールアミン塩（モノエタノールアンモニウム塩、ジエタノールアンモニウム塩等）などが挙げられる。
これらのアニオン界面活性剤は、１種単独で用いてもよいし、２種以上が組み合わされて用いてもよい。
（Ｃ−２）成分としては、洗浄力がより高まるとともに、（Ａ）成分との併用による増白効果がより向上する観点から、直鎖アルキルベンゼンスルホン酸又はその塩（ＬＡＳ）、ポリオキシアルキレンアルキルエーテル硫酸エステル又はその塩（ＡＥＳ）が好ましい。
【００２８】
ポリオキシアルキレンアルキルエーテル硫酸エステル又はその塩（ＡＥＳ）は、下記一般式（ｃ２）で表される。
Ｒ３−Ｏ−［（ＥＯ）ｍ／（ＰＯ）ｎ］−ＳＯ３−Ｍ＋    ・・・（ｃ２）
式（ｃ２）中、Ｒ３は、炭素数８〜２０の直鎖状又は分岐鎖状のアルキル基であり、ＥＯはオキシエチレン基を表し、ＰＯはオキシプロピレン基を表し、ｍはＥＯの平均繰り返し数を表す１以上の数であり、ｎはＰＯの平均繰り返し数を表す０〜６の数であり、Ｍ＋は対カチオンである。
【００２９】
式（ｃ２）におけるｍ＝０、ｎ＝０の成分（ｃ０）の含有量は、（Ｃ）成分の総質量に対して３５〜５５質量％であることが好ましい。
ポリオキシアルキレンアルキルエーテル硫酸エステル又はその塩（ＡＥＳ）としては、炭素数１０〜２０の直鎖もしくは分岐鎖のアルキル基を有し、平均１〜５モルのアルキレンオキシドが付加されたものが好ましい。上記アルキル基の炭素数としては、１０〜２０が好ましく、１２〜１４がより好ましい。具体的には、ドデシル基、トリデシル基、テトラデシル基等が挙げられる。なかでもドデシル基が好ましい。
ＥＯの平均繰り返し数（ｍ）は、１〜５が好ましく、１〜３が好ましい。
ＰＯの平均繰り返し数（ｎ）は、０〜３が好ましい。
【００３０】
（Ｃ−２）成分の含有量は、洗浄液の総質量に対して３質量ｐｐｍ以上が好ましく、１０質量ｐｐｍ以上がより好ましく、３０質量ｐｐｍ以上がさらに好ましく、５０質量ｐｐｍ以上が特に好ましい。
（Ｃ−２）成分の含有量は、洗浄液の総質量に対して３００質量ｐｐｍ以下が好ましく、２５０質量ｐｐｍ以下がより好ましく、２００質量ｐｐｍ以下がさらに好ましく、１５０質量ｐｐｍ以下が特に好ましい。
すなわち、（Ｃ−２）成分の含有量は、洗浄液の総質量に対して３〜３００質量ｐｐｍが好ましく、１０〜２５０質量ｐｐｍがより好ましく、３０〜２５０質量ｐｐｍがさらに好ましく、３０〜２００質量ｐｐｍがさらに好ましく、３０〜１５０質量ｐｐｍが特に好ましく、５０〜１５０質量ｐｐｍが最も好ましい。
（Ｃ−２）成分の含有量が上記範囲内であれば、洗浄力がより高まるとともに、（Ａ）成分との併用による増白効果がより向上する。
【００３１】
（Ｃ−１）成分の含有量に対する（Ｃ−２）成分の含有量の質量比を表す（Ｃ−２）／（Ｃ−１）は、０．３以上が好ましく、０．５以上がより好ましく、１以上がさらに好ましい。
（Ｃ−２）／（Ｃ−１）は、２以下が好ましく、１．７以下がより好ましく、１．５以下がさらに好ましい。
すなわち、（Ｃ−２）／（Ｃ−１）は、２以下が好ましく、０．３〜２がより好ましく、０．５〜２がさらに好ましく、１〜２がさらに好ましく、１〜１．７が特に好ましく、１〜１．５が最も好ましい。
（Ｃ−２）／（Ｃ−１）が上記範囲内であれば、洗浄力がより高まるとともに、（Ａ）成分との併用による増白効果がより向上する。
【００３２】
（Ｃ−２）成分の含有量に対する（Ａ）成分の含有量の質量比を表す（Ａ）／（Ｃ−２）は、０．００１以上が好ましく、０．００５以上がより好ましく、０．０１以上がさらに好ましい。
（Ａ）／（Ｃ−２）は、１以下が好ましく、０．１以下がより好ましい。
すなわち、（Ａ）／（Ｃ−２）は、０．００１〜１が好ましく、０．００５〜１がより好ましく、０．００５〜０．１がさらに好ましく、０．０１〜０．１が特に好ましい。
（Ａ）／（Ｃ−２）が上記範囲内であれば、増白効果がより向上する。
【００３３】
（Ｃ−２）成分の含有量に対する（Ｂ）成分の含有量の質量比を表す（Ｂ）／（Ｃ−２）は、０．００１以上が好ましく、０．０１以上がより好ましく、０．０２以上がさらに好ましい。
（Ｂ）／（Ｃ−２）は、１以下が好ましく、０．５以下がより好ましく、０．１以下がさらに好ましい。
すなわち、（Ｂ）／（Ｃ−２）は、０．００１〜１が好ましく、０．００１〜０．５がより好ましく、０．０１〜０．１がさらに好ましく、０．０２〜０．１が特に好ましい。
（Ｂ）／（Ｃ−２）が上記範囲内であれば、増白効果及び抗菌効果がより向上する。
【００３４】
（Ｃ−２）成分の含有量に対する（Ａ）成分及び（Ｂ）成分の合計含有量の質量比を表す（（Ａ）＋（Ｂ））／（Ｃ−２）は、０．００５以上が好ましく、０．０１以上がより好ましい。
（（Ａ）＋（Ｂ））／（Ｃ−２）は、０．４以下が好ましく、０．２以下がより好ましい。
すなわち、（（Ａ）＋（Ｂ））／（Ｃ−２）は、０．００５〜０．４が好ましく、０．００５〜０．３がより好ましく、０．００８〜０．２５がさらに好ましく、０．０１〜０．２が特に好ましい。
（（Ａ）＋（Ｂ））／（Ｃ−２）が上記範囲内であれば、より充分な増白効果を発揮しつつ、より優れた抗菌効果も得られる。
【００３５】
（Ｃ）成分の含有量に対する（Ｃ−２）成分の含有量の質量比を表す（Ｃ−２）／（Ｃ）は、０．０３以上が好ましく、０．１以上がより好ましく、０．２５以上がさらに好ましい。
（Ｃ−２）／（Ｃ）は、０．７以下が好ましく、０．６５以下がより好ましい。
すなわち、（Ｃ−１）／（Ｃ）は、０．０３〜０．７が好ましく、０．１〜０．７がより好ましく、０．１〜０．６５がさらに好ましく、０．２５〜０．６５が特に好ましい。
（Ｃ−２）／（Ｃ）が上記範囲内であれば、洗浄力がより高まる。
【００３６】
（Ｃ）成分としては、（Ｃ−１）成分及び（Ｃ−２）成分の少なくとも一方と、カチオン界面活性剤、両性界面活性剤及び半極性界面活性剤の１つ以上とを併用してもよい。
カチオン界面活性剤としては、例えばアルキルトリメチルアンモニウム塩、ジアルキルジメチルアンモニウム塩、アルキルベンジルジメチルアンモニウム塩、アルキルピリジニウム塩、アルキルアミドアミンなどが挙げられる。カチオン界面活性剤の含有量は、洗浄液の総質量に対して０〜３００質量ｐｐｍが好ましい。
両性界面活性剤としては、例えばアルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型などの両性界面活性剤が挙げられる。両性界面活性剤の含有量は、洗浄液の総質量に対して０〜３００質量ｐｐｍが好ましい。
半極性界面活性剤としては、例えばアルキルアミンオキシド、アルキルアミドプロピルジメチルアミンオキシドなどが挙げられる。半極性界面活性剤の含有量は、洗浄液の総質量に対して０〜３００質量ｐｐｍが好ましい。
【００３７】
＜水＞
水としては特に制限されず、精製水、蒸留水、水道水、風呂の残り湯、井水などが挙げられる。
これらの水は、１種単独で用いてもよいし、２種以上が組み合わされて用いてもよい。
水の含有量は、洗浄液から（Ａ）成分、（Ｂ）成分、（Ｃ）成分及び後述の任意成分を除いた残部である。
【００３８】
＜任意成分＞
洗浄液は、（Ａ）成分、（Ｂ）成分、（Ｃ）成分及び水以外の成分（任意成分）を含んでいてもよい。
任意成分としては、例えば有機溶媒、安定化剤、漂白剤、ＳＲ剤（ソイルリリース剤）、ポリアルキレンアミンのアルキレンオキシド付加体等の高分子（Ｐ）、ｐＨ調整剤、酵素、キレート剤、アルカリ剤、風合い向上剤、（Ｂ）成分以外の抗菌剤（他の抗菌剤）、着色剤、香料などが挙げられる。
【００３９】
有機溶媒としては、例えばポリオール化合物などが挙げられる。
ポリオール化合物としては、繊維製品用の洗剤分野で用いられる公知のポリオール化合物を用いることができ、例えばグリセリン、プロピレングリコール、ジプロピレングリコール、エチレングリコール、ポリエチレングリコール、イソプレングリコール、１、３−ブチレングリコール 、ソルビトールなどが挙げられる。
これらのポリオール化合物は、１種単独で用いてもよいし、２種以上が組み合わされて用いてもよい。
ポリオール化合物としては、後述する洗剤組成物が洗浄液の濃度にまで希釈される際の溶解速度に優れる観点から、プロピレングリコール、ポリエチレングリコールが好ましい。
【００４０】
ポリエチレングリコールの重量平均分子量は、４００〜５０００が好ましく、４５０〜３０００がより好ましい。ポリエチレングリコールの重量平均分子量が上記範囲内であれば、詳しくは後述するが、洗浄液を製造する際の洗剤組成物の溶解速度が向上する。
なお、ポリエチレングリコールの重量平均分子量は、溶媒としてメタノールを用いてゲル浸透クロマトグラフィー（ＧＰＣ）により測定した値を、ポリエチレングリコールにおける較正曲線に基づいて算出した値である。
【００４１】
ポリエチレングリコールの市販品としては、例えばライオン株式会社製の商品名「ＰＥＧ＃１０００−Ｌ６０」などが挙げられる。
【００４２】
有機溶媒の含有量は、洗浄液の総質量に対して１質量ｐｐｍ以上が好ましく、５質量ｐｐｍ以上がより好ましい。
有機溶媒の含有量は、洗浄液の総質量に対して２００質量ｐｐｍ以下が好ましく、１５０質量ｐｐｍ以下がより好ましい。
すなわち、有機溶媒の含有量は、洗浄液の総質量に対して１〜２００質量ｐｐｍが好ましく、１〜１５０質量ｐｐｍがより好ましく、５〜１５０質量ｐｐｍがさらに好ましい。
有機溶媒の含有量が上記範囲内であれば、洗剤組成物を洗浄液の濃度にまで速やかに希釈できる。
【００４３】
洗浄液が安定化剤を含んでいれば、（Ａ）成分と（Ｂ）成分の併用による増白効果がより向上する。
安定化剤としては、芳香族スルホン酸又はその塩などが挙げられる。
芳香族スルホン酸としては、ベンゼンスルホン酸、ｐ−トルエンスルホン酸、キシレンスルホン酸、クメンスルホン酸、置換もしくは非置換ナフタレンスルホン酸などが挙げられる。
芳香族スルホン酸の塩の形態としては、例えばアルカリ金属塩（ナトリウム塩、カリウム塩等）、アルカリ土類金属塩（マグネシウム塩等）、アルカノールアミン塩（モノエタノールアンモニウム塩、ジエタノールアンモニウム塩等）などが挙げられる。
これらの芳香族スルホン酸又はその塩は、１種単独で用いてもよいし、２種以上が組み合わされて用いてもよい。
安定化剤としては、（Ａ）成分と（Ｂ）成分の併用による増白効果がより向上する観点から、クメンスルホン酸又はその塩が好ましい。
【００４４】
安定化剤の含有量は、洗浄液の総質量に対して１質量ｐｐｍ以上が好ましく、５質量ｐｐｍ以上がより好ましく、１０質量ｐｐｍ以上がさらに好ましい。
安定化剤の含有量は、洗浄液の総質量に対して１００質量ｐｐｍ以下が好ましく、７５質量ｐｐｍ以下がより好ましく、５０質量ｐｐｍ以下がさらに好ましい。
すなわち、安定化剤の含有量は、洗浄液の総質量に対して１〜１００質量ｐｐｍが好ましく、５〜７５質量ｐｐｍがより好ましく、１０〜５０質量ｐｐｍがさらに好ましい。
安定化剤の含有量が上記範囲内であれば、（Ａ）成分と（Ｂ）成分の併用による増白効果がより向上する。
【００４５】
洗浄液が漂白剤を含んでいれば、（Ａ）成分と（Ｂ）成分の併用による増白効果がより向上する。
漂白剤としては、酸素系の漂白剤が挙げられる。酸素系の漂白剤としては、例えば過炭酸ナトリウム、過ホウ酸ナトリウム、モノ過硫酸ナトリウム、過酸化水素などが挙げられる。
これらの漂白剤は、１種単独で用いてもよいし、２種以上が組み合わされて用いてもよい。
漂白剤としては、繊維製品に繊維傷みや黄ばみが生じにくい観点から、過酸化水素が好ましい。
【００４６】
漂白剤の含有量は、洗浄液の総質量に対して０．８質量ｐｐｍ以上が好ましく、４質量ｐｐｍ以上がより好ましく、８質量ｐｐｍ以上がさらに好ましい。
漂白剤の含有量は、洗浄液の総質量に対して８５質量ｐｐｍ以下が好ましく、７０質量ｐｐｍ以下がより好ましく、４５質量ｐｐｍ以下がさらに好ましい。
すなわち、漂白剤の含有量は、洗浄液の総質量に対して０．８〜８５質量ｐｐｍが好ましく、４〜７０質量ｐｐｍがより好ましく、８〜４５質量ｐｐｍがさらに好ましい。
漂白剤の含有量が上記範囲内であれば、（Ａ）成分と（Ｂ）成分の併用による増白効果がより向上する。
【００４７】
洗浄液がＳＲ剤（ソイルリリース剤）を含んでいれば、（Ａ）成分と（Ｂ）成分の併用による増白効果がより向上する。
ＳＲ剤としては、増白効果がより向上する観点から、アルキレンテレフタレート単位及びアルキレンイソフタレート単位からなる群より選択される少なくとも一種の繰り返し単位、並びにオキシアルキレン単位を有するポリマーが好ましい。このようなポリマーとしては、例えば国際公開第２０１７／１４２０１２号に記載されているものが挙げられる。
ＳＲ剤の市販品としては、例えばクラリアント社製の商品名「ＴｅｘＣａｒｅ  ＳＲＮ−１７０」などが挙げられる。
【００４８】
ＳＲ剤の含有量は、洗浄液の総質量に対して０．０８質量ｐｐｍ以上が好ましく、０．４量ｐｐｍ以上がより好ましく、０．８質量ｐｐｍ以上がさらに好ましい。
ＳＲ剤の含有量は、洗浄液の総質量に対して４５質量ｐｐｍ以下が好ましく、８．５質量ｐｐｍ以下がより好ましく、４．５質量ｐｐｍ以下がさらに好ましい。
すなわち、ＳＲ剤の含有量は、洗浄液の総質量に対して０．０８〜４５質量ｐｐｍが好ましく、０．４〜８．５質量ｐｐｍがより好ましく、０．８〜４．５質量ｐｐｍがさらに好ましい。
ＳＲ剤の含有量が上記範囲内であれば、（Ａ）成分と（Ｂ）成分の併用による増白効果がより向上する。
【００４９】
洗浄液は、ポリアルキレンアミンのアルキレンオキシド付加体等の高分子（Ｐ）を含んでいてもよい。
ポリアルキレンアミンのアルキレンオキシド付加体としては、下記式（ｐ）で表される側鎖をアルキレンアミン主鎖及びアルキレンアミン主鎖の窒素原子に結合したものが挙げられる。
−（ＥＯ）ａ（ＰＯ）ｂ    ・・・式（ｐ）
式（ｐ）中、ＥＯはオキシエチレン基であり、ＰＯはオキシプロピレン基であり、ａはＥＯの平均繰り返し数を表す３〜６０の数であり、ｂはＰＯの平均繰り返し数を表す０〜６０の数である。
このような高分子（Ｐ）としては、例えば国際公開第２０１７／１４２０１２号や特表２０１７−５１４９６７号公報に記載されているものが挙げられる。
高分子（Ｐ）としては、例えばＢＡＳＦ社製の商品名「Ｓｏｋａｌａｎ  ＨＰ２０」などが挙げられる。
【００５０】
高分子（Ｐ）の含有量は、洗浄液の総質量に対して０．０８質量ｐｐｍ以上が好ましく、０．４量ｐｐｍ以上がより好ましく、０．８質量ｐｐｍ以上がさらに好ましい。
高分子（Ｐ）の含有量は、洗浄液の総質量に対して８５質量ｐｐｍ以下が好ましく、４５質量ｐｐｍ以下がより好ましく、２５質量ｐｐｍ以下がさらに好ましい。
すなわち、高分子（Ｐ）の含有量は、洗浄液の総質量に対して０．０８〜８５質量ｐｐｍが好ましく、０．４〜４５質量ｐｐｍがより好ましく、０．８〜２５質量ｐｐｍがさらに好ましい。
【００５１】
ｐＨ調整剤としては、例えば塩酸、硫酸、リン酸等の無機酸、水酸化ナトリウム、水酸化カリウム、アルカノールアミン、アンモニア等が挙げられる。
これらのｐＨ調整剤は、１種単独で用いてもよいし、２種以上が組み合わされて用いてもよい。
【００５２】
酵素としては、例えばプロテアーゼ、アミラーゼ、リパーゼ、セルラーゼ、マンナナーゼなどが挙げられる。ここで、「酵素」とは、酵素製剤のことを意味する。
プロテアーゼとしては、プロテアーゼ製剤としてノボザイムズ社から入手できる、Ｐｒｏｇｒｅｓｓ  Ｕｎｏ（登録商標）１００Ｌ、Ｍｅｄｌｅｙ（登録商標）  Ｃｏｒｅ２１０Ｌ、Ｓａｖｉｎａｓｅ（登録商標）１６Ｌ、Ｓａｖｉｎａｓｅ  Ｕｌｔｒａ  １６Ｌ、Ｓａｖｉｎａｓｅ  Ｕｌｔｒａ  １６ＸＬ、Ｓａｖｉｎａｓｅ  Ｅｖｉｔｙ  １６Ｌ、Ｅｖｅｒｌａｓｅ（登録商標）  １６Ｌ  ＴｙｐｅＥＸ、Ｅｖｅｒｌａｓｅ  １６Ｌ、Ｅｖｅｒｌａｓｅ  Ｕｌｔｒａ  １６Ｌ、Ｅｓｐｅｒａｓｅ（登録商標）  ８Ｌ、Ａｌｃａｌａｓｅ（登録商標）  ２．５Ｌ、Ａｌｃａｌａｓｅ  Ｕｌｔｒａ  ２．５Ｌ、Ｌｉｑｕａｎａｓｅ（登録商標）  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ（登録商標）  ４８Ｌ（いずれも商品名）、ジェネンコア社から入手できるＰｕｒａｆｅｃｔ（登録商標）  Ｌ、Ｐｕｒａｆｅｃｔ  ＯＸ、Ｐｒｏｐｅｒａｓｅ  Ｌ（いずれも商品名）などが挙げられる。
アミラーゼとしては、アミラーゼ製剤としてノボザイムズ社から入手できる、Ｔｅｒｍａｍｙｌ（登録商標）  ３００Ｌ、Ｔｅｒｍａｍｙｌ  Ｕｌｔｒａ  ３００Ｌ、Ｄｕｒａｍｙｌ（登録商標）  ３００Ｌ、Ｓｔａｉｎｚｙｍｅ（登録商標）  １２Ｌ、Ｓｔａｉｎｚｙｍｅ  Ｐｌｕｓ  １２Ｌ、Ａｍｐｌｉｆｙ  １２Ｌ（登録商標）、Ａｍｐｌｉｆｙ  Ｐｒｉｍｅ  １００Ｌ、Ｍｅｄｌｅｙ（登録商標）  Ｃｏｒｅ２１０Ｌ（いずれも商品名）、ジェネンコア社から入手できる、Ｍａｘａｍｙｌ（商品名）、天野製薬株式会社から入手できるプルラナーゼアマノ（商品名）、生化学工業株式会社から入手できるＤＢ−２５０（商品名）などが挙げられる。
リパーゼとしては、リパーゼ製剤としてノボザイムズ社から入手できるＬｉｐｅｘ（登録商標）  １００Ｌ、Ｌｉｐｅｘ  Ｅｖｉｔｙ  １００Ｌ、Ｌｉｐｏｌａｓｅ（登録商標）  １００Ｌ（いずれも商品名）などが挙げられる。
セルラーゼとしては、セルラーゼ製剤としてノボザイムズ社から入手できる、Ｅｎｄｏｌａｓｅ（登録商標）  ５０００Ｌ、Ｃｅｌｌｕｚｙｍｅ（登録商標）  ０．４Ｌ、Ｃａｒｚｙｍｅ（登録商標）  ４５００Ｌ（いずれも商品名）等が挙げられる。
マンナナーゼとしては、マンナナーゼ製剤としてノボザイムズ社から入手できるＭａｎｎａｗａｙ（登録商標）  ４Ｌ（商品名）などが挙げられる。
プロテアーゼとしては、上記の中でも、Ｓａｖｉｎａｓｅ  １６Ｌ、Ｓａｖｉｎａｓｅ  Ｕｌｔｒａ  １６Ｌ、Ｓａｖｉｎａｓｅ  Ｕｌｔｒａ  １６ＸＬ、Ｓａｖｉｎａｓｅ  Ｅｖｉｔｙ  １６Ｌ、Ｅｖｅｒｌａｓｅ  １６Ｌ、Ｅｖｅｒｌａｓｅ  Ｕｌｔｒａ  １６Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ、Ｐｒｏｇｒｅｓｓ  Ｕｎｏが好ましく、Ａｌｃａｌａｓｅ  ２．５Ｌ、Ｅｖｅｒｌａｓｅ  １６Ｌ、Ｓａｖｉｎａｓｅ  １６Ｌ、Ｓａｖｉｎａｓｅ  Ｅｖｉｔｙ  １６Ｌ、Ｃｏｒｏｎａｓｅ  ４８Ｌ、Ｐｒｏｇｒｅｓｓ  Ｕｎｏが特に好ましい。
【００５３】
これらの酵素は、１種単独で用いてもよいし、２種以上が組み合わされて用いてもよい。
酵素はプロテアーゼとアミラーゼとの組合せが好ましい。アミラーゼに対するアミラーゼ以外の酵素の質量比は、０．２以上２０以下が好ましい。
酵素の含有量は、洗浄液の総質量に対して０〜１０質量ｐｐｍが好ましい。
【００５４】
キレート剤としては、例えば酢酸、アジピン酸、グリコール酸、ジグリコール酸、モノクロル酢酸、オキシジコハク酸、カルボキシメチルオキシコハク酸、クエン酸、乳酸、酒石酸、シュウ酸、リンゴ酸、グルコン酸、カルボキシメチルコハク酸、カルボキシメチル酒石酸等の酸又はその塩のカルボン酸類；エチレンジアミンテトラ酢酸（ＥＤＴＡ）、トリエチレンテトラ酢酸（ＴＴＨＡ）、メチルグリシン二酢酸（ＭＧＤＡ）、１，３−プロパン−２−ジアミン四酢酸（ＰＤＴＡ）、ヒドロキシエチルエチレンジアミントリ酢酸（ＨＥＤＴＡ）、ヒドロキシエチルイミノジ酢酸（ＨＩＤＡ）、ヒドロキシイミノジコハク酸（ＨＩＤＳ）、ニトリロトリ酢酸（ＮＴＡ）、ジエチレントリアミンペンタ酢酸（ＤＴＰＡ）、プロピレンジアミンテトラ酢酸、トリエチレンテトラアミンヘキサ酢酸、エチレングリコールジエーテルジアミンテトラ酢酸、エチレンジアミンテトラプロピオン酸、シクロヘキサン−１，２−ジアミンテトラ酢酸、イミノジコハク酸、アスパラギン酸ジ酢酸、β−アラニンジ酢酸、ヒドロキシイミノジコハク酸等の酸又はその塩のアミノカルボン酸類；１−ヒドロキシエチリデン−１,１−ジホスホン酸（ＨＥＤＰ）、Ｎ，Ｎ，Ｎ’，Ｎ’−テトラキス（ホスホノメチル）エチレンジアミン（ＥＤＴＭＰ）等の酸又はその塩の有機ホスホン酸類などが挙げられる。
キレート剤の塩の形態としては、例えばナトリウム、カリウム、カルシウム、マグネシウムなどが挙げられる。
これらのキレート剤は、１種単独で用いてもよいし、２種以上が組み合わされて用いてもよい。
キレート剤の含有量は、洗浄液の総質量に対して０〜５０質量ｐｐｍが好ましい。
【００５５】
アルカリ剤としては、例えばアルカノールアミン（モノエタノールアミン、ジエタノールアミン、トリエタノールアミン等）などが挙げられる。
これらのアルカリ剤は、１種単独で用いてもよいし、２種以上が組み合わされて用いてもよい。
アルカリ剤の含有量は、洗浄液の総質量に対して０〜５０質量ｐｐｍが好ましい。
【００５６】
風合い向上剤としては、例えばシリコーンなどが挙げられる。
これらの風合い向上剤は、１種単独で用いてもよいし、２種以上が組み合わされて用いてもよい。
風合い向上剤の含有量は、洗浄液の総質量に対して０〜５０質量ｐｐｍが好ましい。
【００５７】
（Ｂ）成分以外の抗菌剤（他の抗菌剤）としては、例えば四級アンモニウム塩（塩化ベンザルコニウム）等の陽イオン殺菌剤、ビス−（２−ピリジルチオ−１−オキシド）亜鉛、ポリヘキサメチレンビグアニジン塩酸塩、８−オキシキノリン、ポリリジンなどが挙げられる。
これらの他の抗菌剤は、１種単独で用いてもよいし、２種以上が組み合わされて用いてもよい。
他の抗菌剤の含有量は、洗浄液の総質量に対して０〜１０質量ｐｐｍが好ましい。
【００５８】
着色剤としては、例えば緑色２０２号（癸巳化成社製、商品名「緑色２０２号」）、青色４０３号（癸巳化成社製、商品名「青色４０３号」）、ＢＬＵＥ  ＨＰ（ミリケン社製、商品名「ＬＩＱＵＩＴＩＮＴ  Ｂｌｕｅ  ＨＰ」）等の色素、顔料などが挙げられる。
これらの着色剤は、１種単独で用いてもよいし、２種以上が組み合わされて用いてもよい。
着色剤の含有量は、洗浄液の総質量に対して０〜１０質量ｐｐｍが好ましい。
【００５９】
香料としては、香料原料単体、又は、香料原料と香料用溶剤と香料安定化剤等とからなる香料組成物を含むものが挙げられ、液体漂白剤に通常用いられる香料を配合することができる。また、カプセル香料を配合しても良い。
香料の含有量は、洗浄液の総質量に対して０〜１０質量ｐｐｍが好ましい。
なお、洗浄液中の各成分の含有量の合計が、１００質量％となる。
【００６０】
洗浄液は、増白効果をより向上させる観点から、任意成分として安定化剤、漂白剤及びＳＲ剤の少なくとも１つを含むことが好ましく、安定化剤及び漂白剤の少なくとも一方を含むことがより好ましい。
【００６１】
＜製造方法＞
洗浄液は、上述した（Ａ）成分、（Ｂ）成分及び（Ｃ）成分と、必要に応じて上述した任意成分とを洗浄液より高濃度に含む組成物（以下、「洗剤組成物」ともいう。）を希釈することで得られる。洗剤組成物は、水を含んでいてもよい。
【００６２】
洗剤組成物の希釈は希釈溶媒を用いればよく、希釈後の洗剤組成物、すなわち洗浄液中の各成分の含有量及び質量比が上述した範囲内となるように洗剤組成物を希釈溶媒で希釈すればよい。
希釈溶媒としては、水、洗剤組成物以外の新たな洗剤を含む水溶液などが挙げられる。これらの希釈溶媒は、１種単独で用いてもよいし、２種以上が組み合わされて用いてもよい。
新たな洗剤は、上述した（Ａ）成分、（Ｂ）成分、（Ｃ）成分、水及び任意成分の１つ以上を含んでいてもよい。例えば、新たな洗剤が上述した（Ａ）成分を含み、この新たな洗剤を含む水溶液で洗剤組成物を希釈する場合、洗浄液中の（Ａ）成分は、洗剤組成物に含まれる（Ａ）成分と、新たな洗剤に含まれる（Ａ）成分に由来する。新たな洗剤が上述した（Ｂ）成分、（Ｃ）成分、水及び任意成分の１つ以上を含む場合についても同様である。
新たな洗剤は、液体でもよいし、粉末でもよい。また、新たな洗剤として、市販品を用いてもよい。
【００６３】
洗剤組成物中の（Ａ）成分の含有量は、洗剤組成物の総質量に対して０．００１〜１質量％が好ましく、０．００５〜０．８質量％がより好ましく、０．０１〜０．５質量％がさらに好ましい。
洗剤組成物中の（Ｂ）成分の含有量は、洗剤組成物の総質量に対して０．００１〜１質量％が好ましく、０．００５〜０．８質量％がより好ましく、０．０１〜０．５質量％がさらに好ましい。
洗剤組成物中の（Ｃ−１）成分の含有量は、洗剤組成物の総質量に対して０．１〜３５質量％が好ましく、０．５〜３５質量％がより好ましく、１〜３０質量％がさらに好ましい。
洗剤組成物中の（Ｃ−２）成分の含有量は、洗剤組成物の総質量に対して０．１〜２５質量％が好ましく、０．５〜２３質量％がより好ましく、１〜２０質量％がさらに好ましい。
【００６４】
洗剤組成物中の水の含有量は、洗剤組成物から（Ａ）成分、（Ｂ）成分、（Ｃ）成分及び任意成分を除いた残部である。
洗剤組成物中の（Ｃ）成分の含有量が３０質量％未満の場合、水の含有量は、洗剤組成物の総質量に対して１０〜９８質量％が好ましく、４０〜９５質量％がより好ましく、６０〜９０質量％がさらに好ましい。
洗剤組成物中の（Ｃ）成分の含有量が３０質量％以上の場合、水の含有量は、洗剤組成物の総質量に対して１〜６５質量％が好ましく、１〜６０質量％がより好ましく、１〜５０質量％がさらに好ましい。特に、洗剤組成物中の（Ｃ）成分の含有量が５０質量％以上の場合、水の含有量は、洗剤組成物の総質量に対して１〜２０質量％が好ましく、１〜１５質量％がより好ましい。
【００６５】
洗剤組成物中の有機溶媒の含有量は、洗剤組成物の総質量に対して０．１〜２０質量％が好ましく、０．５〜１５質量％がより好ましく、１〜１０質量％がさらに好ましい。
洗剤組成物中の安定化剤の含有量は、洗剤組成物の総質量に対して０．１〜１０質量％が好ましく、０．５〜８質量％がより好ましく、１〜５質量％がさらに好ましい。
洗剤組成物中の漂白剤の含有量は、洗剤組成物の総質量に対して０．１〜１０質量％が好ましく、０．５〜８質量％がより好ましく、１〜５質量％がさらに好ましい。
洗剤組成物中のＳＲ剤の含有量は、洗剤組成物の総質量に対して０．０１〜５質量％が好ましく、０．０５〜１質量％がより好ましく、０．１〜０．５質量％がさらに好ましい。
洗剤組成物中のポリアルキレンアミンのアルキレンオキシド付加体等の高分子（Ｐ）の含有量は、洗剤組成物の総質量に対して０．０１〜１０質量％が好ましく、０．０５〜５質量％がより好ましく、０．１〜３質量％がさらに好ましい。
洗剤組成物中の酵素の含有量は、洗剤組成物の総質量に対して０〜３質量％が好ましい。
洗剤組成物中のキレート剤の含有量は、洗剤組成物の総質量に対して０〜１５質量％が好ましい。
洗剤組成物中のアルカリ剤の含有量は、洗剤組成物の総質量に対して０〜１５質量％が好ましい。
洗剤組成物中の風合い向上剤の含有量は、洗剤組成物の総質量に対して０〜１５質量％が好ましい。
洗剤組成物中の（Ｂ）成分以外の抗菌剤（他の抗菌剤）の含有量は、洗剤組成物の総質量に対して０〜３質量％が好ましい。
洗剤組成物中の着色剤の含有量は、洗剤組成物の総質量に対して０〜３質量％が好ましい。
洗剤組成物中の香料の含有量は、洗剤組成物の総質量に対して０〜３質量％が好ましい。
【００６６】
洗剤組成物を水のみで希釈する場合、洗剤組成物中の各成分の質量比は、洗浄液中の各成分の質量比と同じである。
【００６７】
洗剤組成物の２５℃におけるｐＨは、５〜１０が好ましく、６〜８がより好ましく、６以上８未満がさらに好ましく、６〜７が特に好ましい。
洗浄液中の２５℃におけるｐＨは、５〜１０が好ましく、６〜８がより好ましく、６以上８未満がさらに好ましく、６〜７が特に好ましい。
洗剤組成物及び洗浄液のｐＨは、必要に応じて、ｐＨ調整剤を添加することにより調整できる。ｐＨは、測定対象を２５℃とし、ｐＨメーター（例えば、東亜ディーケーケー株式会社製の製品名「ＨＭ−３０Ｇ」）により測定される値である。
【００６８】
洗剤組成物は、容器に収容して容器入り液体洗剤製品として用いることができる。
容器としては、洗剤組成物を収容できる容器が挙げられ、具体的にはスクイズ容器、トリガー容器、ポンプ容器などが挙げられる。これらの容器から洗剤組成物を吐出した場合の形態は、液状やシャワー状や泡状であってもよい。
また、容器としては、例えば液を繊維製品に直に塗りつける塗布面を有する容器（特開２０１８−１８８７８５号公報、図１記載の容器）、袋状容器（特開２００７−３２６６４１号公報、図１記載の容器）、水溶性パウチ（特表２０１８−５１７０１５号公報、図１〜４記載の水溶性パウチ）などであってもよい。
【００６９】
＜作用効果＞
本発明の洗浄液は、特定量の（Ａ）成分及び（Ｂ）成分と、（Ｃ）成分とを含むので、繊維製品の汚れに対する洗浄力に優れるとともに、優れた増白効果及び抗菌効果が得られる。
【００７０】
［繊維製品の洗濯方法］
本発明の繊維製品の洗濯方法は、上述した本発明の洗浄液を用いて繊維製品を洗浄処理する方法である。
繊維製品としては、例えば衣類（衣料）、布巾、タオル類、シーツなどが挙げられる。
繊維製品の素材は特に限定されず、綿、絹、羊毛等の天然繊維、ポリエステル、ポリアミド等の化学繊維等のいずれでもよい。
【００７１】
繊維製品の洗浄処理の方法（以下、「洗浄工程」ともいう。）は、本発明の洗浄液中で被洗物（繊維製品）に外力を加えて洗濯処理し、洗濯処理後にすすぎ処理を行う方法（１）でもよく、前記洗濯処理前に、本発明の洗浄液中に被洗物を浸漬させて外力を加えずに放置する浸漬処理を設け、浸漬処理に使用した洗浄液を用いて前記洗濯処理を行い、その後にすすぎ処理を行う方法（２）でもよい。
洗濯処理において、被洗物に外力を加える方法は、例えば洗濯機により機械力を加える方法でもよく、もみ洗い、押し洗い、たたき洗い、つかみ洗い、つまみ洗い、又は振り洗い等の手洗いによる方法でもよい。
【００７２】
前記方法（１）、（２）において、洗浄液の、被洗物と接触する直前の温度は５〜４０℃が好ましく、１５〜４０℃がより好ましい。洗濯処理における浴比（被洗物の総質量に対する洗浄液の割合）は２〜４０倍が好ましい。
前記方法（１）において、洗浄液と被洗物とが接触している時間は、例えば５〜３０分が好ましく、１０〜２０分がより好ましい。
前記方法（２）において、洗浄液中に被洗物を浸漬させる時間は１０分以上が好ましく、３０分〜１２時間がより好ましい。また、前記方法（２）の浸漬処理及び洗濯処理において、洗浄液と被洗物とが接触している合計の時間は、３０分〜２４時間が好ましく、２〜１２時間がより好ましい。
【００７３】
本発明の繊維製品の洗濯方法は、上述した洗剤組成物を希釈して本発明の洗浄液を調製する工程（以下、「洗浄液調製工程」ともいう。）を有していてもよい。
例えば、洗浄工程に先立ち、洗浄液調製工程を行ってもよい。また、方法（２）において、浸漬処理における洗浄液の代わりに上述した洗剤組成物を用い、浸漬処理で使用した洗剤組成物を希釈して本発明の洗浄液として（洗浄液調製工程に相当）、洗濯処理を行ってもよい。洗剤組成物に被洗物を浸漬させる場合の浸漬時間は５分以上が好ましく、３０分〜１２時間が好ましい。
【００７４】
上述した洗剤組成物を希釈して本発明の洗浄液を調製する場合、洗剤組成物の使用量は、洗濯時の水量３０Ｌあたり５〜６０ｇが好ましい。
洗浄処理において使用される洗浄剤組成物の量は、繊維製品の合計質量（布量）［ｇ］／洗浄剤の合計質量［ｇ］の比が、１０〜５００が好ましい。
衣類量あたりの水量である浴比（浴比＝洗濯時の水量Ｌ／衣類量ｋｇ）は１５倍以上が好ましい。
【００７５】
＜作用効果＞
本発明の繊維製品の洗濯方法は、本発明の洗浄液を用いて繊維製品を洗浄処理するので、繊維製品の汚れに対する洗浄力に優れるとともに、優れた増白効果及び抗菌効果が得られる。
【実施例】
【００７６】
以下、実施例を示して本発明を詳細に説明するが、本発明は以下の記載によって限定されるものではない。
実施例及び比較例における使用原料及び評価方法は、以下の通りである。
【００７７】
［使用原料］
＜（Ａ）成分＞
・Ａ−１：４，４’−ビス（２−スルホスチリル）ビフェニルジナトリウム塩（ＢＡＳＦジャパン株式会社製、商品名「チノパール（Ｔｉｎｏｐａｌ）ＣＢＳ−Ｘ」）。
・Ａ−２：４，４’−ビス（（４−アミノ−６−モルホリノ−１，３，５−トリアジニル−２）アミノ）スチルベン−２，２’−ジスルホン酸塩（ＢＡＳＦジャパン株式会社製、商品名「チノパール（Ｔｉｎｏｐａｌ）ＡＭＳ−ＧＸ」）。
【００７８】
＜（Ｂ）成分＞
・Ｂ−１：ダイクロサン（４，４’−ジクロロ−２−ヒドロキシジフェニルエーテル）（ＢＡＳＦ社製、商品名「ＴＩＮＯＳＡＮ  ＨＰ１００」）。
＜（Ｂ’）成分：（Ｂ）成分の比較品＞
・Ｂ’−１：塩化ステアリルトリメチルアンモニウム（ライオン・スペシャリティ・ケミカルズ株式会社製、商品名「リポカードＴ−８００」）。
【００７９】
＜（Ｃ−１）成分＞
・Ｃ−１−１：ポリオキシエチレンアルキルエーテル（ライオン株式会社製、商品名「レオックスＣＬ−６０」、前記式（ｃ１）において、Ｒ１が炭素数１２〜１４のアルキル基、Ｒ２が水素原子、−Ｘ−が−Ｏ−、ｓが６、ｔが０、ｕが０である化合物）。
・Ｃ−１−２：ポリオキシエチレンアルキルエーテル（ライオン株式会社製、商品名「ＬＭＡＯ−９０」、前記式（ｃ１）において、Ｒ１が炭素数１２〜１４のアルキル基、Ｒ２が水素原子、−Ｘ−が−Ｏ−、ｓが１５、ｔが０、ｕが０である化合物）。
・Ｃ−１−３：ポリオキシエチレンアルキルエーテル（Ｓｈｅｌｌ社製、商品名「Ｎｅｏｄｏｌ  ２５−７」、前記式（ｃ１）において、Ｒ１が炭素数１２〜１５のアルキル基、Ｒ２が水素原子、−Ｘ−が−Ｏ−、ｓが７、ｔが０、ｕが０である化合物）。「Ｎｅｏｄｏｌ  ２５−７」は、炭素数１２〜１５の直鎖状及び第１級アルコールの混合物（Ｃ１２：Ｃ１３：Ｃ１４：Ｃ１５＝２８：３０：２２：２０（質量比））のＥＯ付加物であり、１分子当たり平均して７個のオキシエチレン単位を含む。
【００８０】
＜（Ｃ−２）成分＞
・Ｃ−２−１：炭素数１２〜１４のアルキル基を有する直鎖アルキルベンゼンスルホン酸（ライオン株式会社製、商品名「ライポンＬＨ−２００」）。
・Ｃ−２−２：ポリオキシアルキレンアルキルエーテル硫酸ナトリウム塩（ＡＥＳ、ポリオキシエチレンラウリルエーテル硫酸ナトリウム、ＥＯの平均付加モル数２、新日本理化株式会社製、商品名「シノリン  ＳＰＥ―１２５０」、上記式（ｃ２）において、Ｒ３が炭素数１２のアルキル基、Ｍ＋がナトリウムイオン、ｍが２、ｎが０である化合物）。
【００８１】
＜任意成分＞
・ＰＥＧ：ポリエチレングリコール（ライオン株式会社製、商品名「ＰＥＧ＃１０００−Ｌ６０」、重量平均分子量１０００）。
・クメンスルホン酸Ｎａ：クメンスルホン酸ナトリウム（テイカ株式会社製、商品名「テイカトックスＮ５０４０」）。
・過酸化水素：３５質量％工業用過酸化水素（三菱ガス化学株式会社製）。
・ＳＲ剤：ソイルリリースポリマー（クラリアント社製、商品名「ＴｅｘＣａｒｅ  ＳＲＮ−１７０」）。
・ＥＰＩＥ−１：ポリエチレンイミンのエチレンオキシド付加体（ＢＡＳＦ社製、商品名「Ｓｏｋａｌａｎ  ＨＰ２０」）。
・ＥＰＩＥ−２：ポリエチレンイミンのエチレンオキシドとプロピレンオキシド付加体（上記式（ｐ）において、ａが２０、ｂが５である側鎖をアルキレンアミン主鎖及びアルキレンアミン主鎖の窒素原子に結合したもの）。
・ｐＨ調整剤：水酸化ナトリウム（東亞合成株式会社製、商品名「水酸化ナトリウム」）。
【００８２】
［評価方法］
＜洗浄力の評価＞
油化協布（未汚れ布）に人工汚垢を含浸して作製した人工汚垢布（洗濯科学協会製）を、５ｃｍ×５ｃｍに裁断したものを汚染布とした。
Ｔｅｒｇ−Ｏ−ｔｏｍｅｔｅｒ（ＵＮＩＴＥＤ  ＳＴＡＴＥＳ  ＴＥＳＴＩＮＧ社製）を洗浄試験器として用いた。
洗浄試験器に、洗浄液と、上記の汚染布５枚と、洗浄メリヤス布とを入れ、浴比３０倍に合わせて、１２０ｒｐｍ、１０℃で１０分間洗浄した。その後、二槽式洗濯機（三菱電機株式会社製、品番「ＣＷ−Ｃ３０Ａ１−Ｈ１」）に移し、１分間脱水した後、水道水（１５℃、４゜ＤＨ）３０Ｌ中で３分間濯ぎ、風乾した。
未洗浄の汚染布及び洗浄後の汚染布について、それぞれ反射率を色差計（日本電色工業株式会社製、製品名「ＳＥ２００型」）で測定し、洗浄率（％）を下記式（ｉ）以下の式より算出した。
洗浄率（％）＝（洗浄前の汚染布のＫ／Ｓ−洗浄後の汚染布のＫ／Ｓ）／（洗浄前の汚染布のＫ／Ｓ−未汚れ布のＫ／Ｓ）×１００    ・・・（ｉ）
（式（ｉ）中、Ｋ／Ｓ＝（１−Ｒ／１００）２／（２Ｒ／１００）。Ｒは反射率（％）。）
汚染布５枚について洗浄率（％）を算出してその平均値を求め、下記評価基準より洗浄力を評価した。Ｉ及びＩＩを合格とする。
<<評価基準>>
Ｉ    ：洗浄率の平均値が４５％以上。
ＩＩ  ：洗浄率の平均値が４０％以上４５％未満。
ＩＩＩ：洗浄率の平均値が４０％未満。
【００８３】
＜増白効果の評価＞
洗浄試験器（Ｔｅｒｇ−Ｏ−ｔｏｍｅｔｅｒ）に、５ｃｍ×５ｃｍの綿金巾５枚と、未蛍光の洗浄メリヤス布と、洗浄液とを入れ、浴比３０倍に合わせて、１２０ｒｐｍ、１５℃で１０分間洗浄した。その後、二槽式洗濯機（三菱電機株式会社製、品番「ＣＷ−Ｃ３０Ａ１−Ｈ１」）に移し、１分間脱水した後、水道水（１５℃、４゜ＤＨ）３０Ｌ中で３分間濯ぎ、風乾した。
この条件での洗濯を３回繰り返し行った後、綿金巾の白度を白度計（日本電色工業株式会社製、製品名「ＰＦ−１０型」）で測定した。白度はＩＳＯ白色度Ｗの紫外線照射有無の差によって算出される。
綿金巾５枚について白度を算出してその平均値を求め、下記評価基準より増白効果を評価した。Ｉ及びＩＩを合格とする。白度が高いほど、より白く見える、すなわち増白効果に優れることを示す。
<<評価基準>>
Ｉ    ：白度の平均値が１以上。
ＩＩ  ：白度の平均値が０．５以上１未満。
ＩＩＩ：白度の平均値が０．５未満。
【００８４】
＜抗菌性の評価＞
（１）洗浄処理方法
全自動電気洗濯機（Ｈａｉｅｒ社製、製品名「ＪＷ−Ｚ２３Ａ」）に、約４００ｇの被洗布を投入した［浴比（洗濯水量／被洗布総質量）３０倍］。被洗布としては、５ｃｍ×５ｃｍの大きさに切り分けた綿金巾約３０ｇと、綿肌シャツ（Ｂ．Ｖ．Ｄ．社製）とを合わせたものを用いた。
次に、前記全自動電気洗濯機に洗浄液を加え、標準コースで洗浄、すすぎ、脱水を順次行う洗浄操作を行った。その際、洗浄時間、すすぎ、脱水、水量（低水位に設定、水量約１２Ｌ）に関しては一切調整せず、洗濯機の標準コース設定をそのまま使用した。
洗濯終了後、綿金巾を取り出し、この取り出した綿金巾を２５℃、相対湿度６５％ＲＨの恒温恒湿室に放置して乾燥させた。乾燥後の綿金巾を試験布として抗菌効果の評価に用いた。また、未処理布として、前記洗濯操作を施していない綿金巾を用いた。
【００８５】
（２）黄色ブドウ球菌に対する抗菌性の評価
本評価に用いた器具、水などは、予めオートクレーブにより滅菌処理を施したものを用いた。また、本評価では、菌として黄色ブドウ球菌（Ｓｔａｐｈｙｌｏｃｏｃｃｕｓ  ａｕｒｅｕｓ）を用いた。ＪＩＳ  Ｌ  １９０２に準じて培養を行った黄色ブドウ球菌を用い、ニュートリエント培地を２０倍に希釈し、菌数が１±０．３×１０５個／ｍＬとなるように、黄色ブドウ球菌母液を調製した。前記試験布（５ｃｍ×５ｃｍ）の４箇所に、前記黄色ブドウ球菌母液０．１ｍＬずつを接種し、３７℃の恒温槽にて１８時間培養して、試験布上で増殖又は静菌した。
その後、抽出液（ＪＩＳ  Ｌ  １９０２に記載の洗い出し用生理食塩水）にて試験布から菌を抽出し、その抽出液を生理食塩水によって１０倍に希釈した。得られた希釈液をさらに１０倍に希釈する操作を４回繰り返し、１００，０００倍の希釈液を得た。なお、「洗い出し用生理食塩水」とは、精製水１，０００ｍＬに対し、塩化ナトリウム８．５ｇを採取し、これらをフラスコに入れて充分に溶解させ、さらにノニオン界面活性剤としてポリオキシエチレンソルビタンモノオレート（関東化学株式会社製、商品名「ポリソルベート８０、Ｔｗｅｅｎ８０」）２ｇを加えて溶解させた後、高圧蒸気殺菌（オートクレーブ処理）したものである。
次いで、ＳＣＤＬＰ寒天培地（日本製薬株式会社製）上に、得られた１００，０００倍の希釈液から１ｍＬを採取し、予めオートクレーブにより滅菌処理し４８℃に保温したＳＣＤＬＰ寒天培地１５ｍＬをシャーレ上で混釈し、３７℃の恒温槽内で１〜２日間培養した後、コロニー数をカウントし、生菌数を求めた。
そして、未処理布についても試験布と同様の操作を行って生菌数を測定し、これらの測定値を用いて抗菌活性値（Ａ）を下記式（ｉｉ）より算出した。
抗菌活性値＝ｌｏｇ１０（未処理布の生菌数／試験布の生菌数）    ・・・（ｉｉ）
【００８６】
次いで、洗浄液の代わりに、評価比較用の洗浄液を用いた以外は、上述した操作（１）、（２）と同様にして、試験布及び未処理布について生菌数を測定し、抗菌活性値（Ｂ）を上記式（ｉｉ）より算出した。
算出した抗菌活性値（Ａ）と抗菌活性値（Ｂ）より、抗菌活性値の差｛抗菌活性値（Ａ）−抗菌活性値（Ｂ）｝を求め、下記評価基準により抗菌性付与効果を評価した。Ｉ及びＩＩを合格とする。
<<評価基準>>
Ｉ    ：抗菌活性値の差が２．５桁以上。
ＩＩ  ：抗菌活性値の差が２．０桁以上２．５桁未満。
ＩＩＩ：抗菌活性値の差が２．０桁未満。
【００８７】
［実施例１〜１７、比較例１〜６］
＜洗剤組成物の調製＞
表１〜６に示す組成に従い、（Ａ）成分と、（Ｂ）成分（又は（Ｂ’）成分）と、（Ｃ）成分と、任意成分とを水（精製水）に加え、混合して各例の洗剤組成物を調製した。
なお、表中の各成分の配合量は、純分換算値である。表中、ｐＨ調整剤の配合量「適量」は、洗剤組成物のｐＨを表中の値とするのに必要な量である。表中、精製水の配合量「バランス」は、洗剤組成物の総量が１００質量％となるのに必要な量である。また、表中に配合量が記載されていない成分は、配合されていない。
【００８８】
＜洗浄液の調製＞
水（水道水）９００ｍＬに対して洗剤組成物を７５０μＬの割合で、水と洗剤組成物とを３０秒間撹拌して、各例の洗浄液を調製した。
得られた洗浄液中の各成分の含有量及び質量比を表１〜６に示す。なお、洗剤組成物中の各成分の質量比は、洗浄液中の各成分の質量比と同じである。
また、洗浄液のｐＨを表１〜６に示す。なお、洗剤組成物及び洗浄液のｐＨは、測定対象を２５℃とし、ｐＨメーター（東亜ディーケーケー株式会社製、製品名「ＨＭ−３０Ｇ」）により測定した。
得られた洗浄液について、洗浄力、増白効果及び抗菌性の評価を行った。結果を表１〜６に示す。
【００８９】
＜評価比較用の洗浄液の調製＞
（Ａ）成分及び（Ｂ）成分（又は（Ｂ’）成分）を配合しなかった以外は、実施例１〜１７、比較例１〜６と同様にして洗剤組成物を調製し、得られた洗剤組成物を水で希釈して評価比較用の洗浄液を調製した。
【００９０】
【表１】
2020132668.tif 000002
【００９１】
【表２】
2020132668.tif 000003
【００９２】
【表３】
2020132668.tif 000004
【００９３】
【表４】
2020132668.tif 000005
【００９４】
【表５】
2020132668.tif 000006
【００９５】
【表６】
2020132668.tif 000007
【００９６】
表１〜６に示すように、各実施例の洗浄液は、繊維製品の汚れに対する洗浄力に優れるとともに、優れた増白効果及び抗菌効果が得られた。
（Ａ）成分及び（Ｂ）成分の少なくとも一方を含まない比較例１〜３の洗浄液は、充分な増白効果が得られなかった。特に、（Ｂ）成分を含まない比較例１、２の洗浄液は、充分な抗菌効果も得られなかった。
（Ｂ）成分に代えて（Ｂ’）成分を用いた比較例４の洗浄液は、充分な増白効果及び抗菌効果が得られなかった。
（Ａ）成分の含有量が０．１質量ｐｐｍ未満である比較例５の洗浄液は、充分な増白効果が得られなかった。
（Ｂ）成分の含有量が０．１質量ｐｐｍ未満である比較例６の洗浄液は、充分な抗菌効果が得られなかった。
【００９７】
［処方例１〜３］
＜洗剤組成物の調製＞
表７に示す組成に従い、（Ａ）成分と、（Ｂ）成分と、（Ｃ）成分と、任意成分とを水（精製水）に加え、混合して各例の洗剤組成物を調製した。
なお、表中の各成分の配合量は、純分換算値である。表中、ｐＨ調整剤の配合量「適量」は、洗剤組成物のｐＨを表中の値とするのに必要な量である。表中、精製水の配合量「バランス」は、洗剤組成物の総量が１００質量％となるのに必要な量である。また、表中に配合量が記載されていない成分は、配合されていない。
【００９８】
＜洗浄液の調製＞
水（水道水）９００ｍＬに対して洗剤組成物を７５０μＬの割合で、水と洗剤組成物とを３０秒間撹拌して、各例の洗浄液を調製した。
得られた洗浄液中の各成分の含有量及び質量比を表７に示す。なお、洗剤組成物中の各成分の質量比は、洗浄液中の各成分の質量比と同じである。
また、洗浄液のｐＨを表７に示す。なお、洗剤組成物及び洗浄液のｐＨは、測定対象を２５℃とし、ｐＨメーター（東亜ディーケーケー株式会社製、製品名「ＨＭ−３０Ｇ」）により測定した。
【００９９】
【表７】
2020132668.tif 000008